(57)【要約】【課題】傾斜した路盤に設置されたマンホールに鉄蓋枠を確実に固定するマンホール用高さ調整リングを提供する。【解決手段】マンホール用高さ調整リングは、マンホールの上に鉄蓋枠を傾斜させて設置する際に、前記鉄蓋枠の高さ及び勾配を調整するために、前記マンホールと前記鉄蓋枠の間に介在させる調整リングであって、前記マンホールの上端に差し込んだボルトを通すために上下に貫通させた貫通孔と、前記マンホールに差し込まれないボルトを固定するためのインサート部材が埋め込まれた下側に貫通しない非貫通穴と、が空けられた、ことを特徴とする。【選択図】図１
2019090242.tif 000002
【特許請求の範囲】
【請求項１】
マンホールの上に鉄蓋枠を傾斜させて設置する際に、前記鉄蓋枠の高さ及び勾配を調整するために、前記マンホールと前記鉄蓋枠の間に介在させる調整リングであって、
前記マンホールの上端に差し込んだボルトを通すために上下に貫通させた貫通孔と、
前記マンホールに差し込まれないボルトを固定するためのインサート部材が埋め込まれた下側に貫通しない非貫通穴と、が空けられた、
ことを特徴とするマンホール用高さ調整リング。
【請求項２】
前記貫通孔と前記非貫通穴とが交互に一定の間隔で空けられた、
ことを特徴とする請求項１に記載のマンホール用高さ調整リング。
【請求項３】
前記貫通穴及び前記非貫通穴は、上部に前記鉄蓋枠の下側に配される調整コマ又はナットを収容するための収容部を有する、
ことを特徴とする請求項１又は２に記載のマンホール用高さ調整リング。
【請求項４】
傾斜した前記鉄蓋枠の端が当たらないように、上面の外縁部を斜めに切り欠いた、
ことを特徴とする請求項１乃至３の何れか一に記載のマンホール用高さ調整リング。
【請求項５】
請求項１乃至４の何れか一に記載のマンホール用高さ調整リングを用いて前記鉄蓋枠の高さ及び勾配を調整する、
ことを特徴とする高さ調整方法。
【発明の詳細な説明】
【技術分野】
【０００１】
本発明は、傾斜した路盤に設置されたマンホールの鉄蓋枠の高さ及び勾配を調整するためのマンホール用高さ調整リングに関する。
【背景技術】
【０００２】
マンホールは、地下に埋設された下水道などに地上から出入りできるように空けられた縦孔である。マンホールは、管状のコンクリート等で下水道などから上方へ垂直に延びる通路が形成され、地上付近において径を絞った上で鉄蓋により塞がれる。なお、路盤が傾斜している場合には、鉄蓋及びその枠も傾斜させて設置することになる。
【０００３】
特許文献１に記載されているように、マンホール用蓋受枠の高さ調整装置の発明も開示されている。また、特許文献２に記載されているように、マンホール用傾斜調整リングの考案も開示されている。
【０００４】
従来の調整リングでは、マンホールの鉄蓋枠の高さを調整するために、マンホールの上端に埋め込まれたインサート部材にボルトを固定し、調整コマやナットなどを用いて鉄蓋枠の高さを調整している。そして、調整コマを上から締め付けることで鉄蓋枠を固定し、鉄蓋枠と調整リングの間に調整モルタルを充填している。調整リングを用いることで、調整モルタルの厚みが抑えられ、また、後に路盤の高さが変更となった場合に対応することが可能である。
【先行技術文献】
【特許文献】
【０００５】
【特許文献１】特許第２９２６５４２号公報
【特許文献２】実用新案登録第２５４２８１８号公報
【発明の概要】
【発明が解決しようとする課題】
【０００６】
しかしながら、鉄蓋枠が老朽化してガタついたり路盤の高さが変更になったりして、鉄蓋枠を交換又は高さを変更する場合に、既存のマンホールの上端に差し込まれたボルトを固定するためのインサート部材が劣化等していると、マンホールの上端に新たにドリル等で穴を掘って後付けのインサート部材を埋め込むことになるが、接着剤の硬化に時間が掛かるので、硬化中に鉄蓋枠を設置してしまうと施工不良に繋がることもある。
【０００７】
また、特に傾斜の低い側において、調整モルタルを充填するための高さが確保されていないと、鉄蓋枠を固定するための調整コマを入れることができず、鉄蓋枠が歪んだりして固定が不安定となる。そして、車両の走行等により振動を受けると、少しずつボルト等の締め付けが緩み、鉄蓋枠との間に少しずつ空隙が生じてしまう。
【０００８】
さらに、傾斜した路盤の勾配が大きい場合に、その勾配に合わせて鉄蓋枠を設置する際に調整モルタルの高さが確保できないと、傾斜した鉄蓋枠の端が調整リングに接触し、施工し辛くなることもある。
【０００９】
そこで、本発明は、傾斜した路盤に設置されたマンホールに鉄蓋枠を確実に固定するマンホール用高さ調整リングを提供することを目的とする。
【課題を解決するための手段】
【００１０】
上記の課題を解決するために、本発明であるマンホール用高さ調整リングは、マンホールの上に鉄蓋枠を傾斜させて設置する際に、前記鉄蓋枠の高さ及び勾配を調整するために、前記マンホールと前記鉄蓋枠の間に介在させる調整リングであって、前記マンホールの上端に差し込んだボルトを通すために上下に貫通させた貫通孔と、前記マンホールに差し込まれないボルトを固定するためのインサート部材が埋め込まれた下側に貫通しない非貫通穴と、が空けられた、ことを特徴とする。
【００１１】
また、前記マンホール用高さ調整リングは、前記貫通孔と前記非貫通穴とが交互に一定の間隔で空けられた、ことを特徴とする。
【００１２】
また、前記マンホール用高さ調整リングにおいて、前記貫通穴及び前記非貫通穴は、上部に前記鉄蓋枠の下側に配される調整コマ又はナットを収容するための収容部を有する、ことを特徴とする。
【００１３】
また、前記マンホール用高さ調整リングは、傾斜した前記鉄蓋枠の端が当たらないように、上面の外縁部を斜めに切り欠いた、ことを特徴とする。
【００１４】
さらに、本発明である高さ調整方法は、前記マンホール用高さ調整リングを用いて前記鉄蓋枠の高さ及び勾配を調整する、ことを特徴とする。
【発明の効果】
【００１５】
本発明によれば、傾斜した路盤に設置されたマンホールに鉄蓋枠を確実に固定することができる。鉄蓋枠を交換又は高さを変更する場合に、既存のマンホールの上端に差し込まれたボルトを固定するためのインサート部材が劣化等していても、調整リングのインサート部材にボルトを差し込むことにより固定することができる。
【００１６】
また、傾斜の低い側において、調整モルタルを充填するための高さがなくても、鉄蓋枠を固定するための調整コマを入れることができる。さらに、傾斜した路盤の勾配が大きい場合でも、傾斜した鉄蓋枠の端が調整リングに接触することはなく、容易に施工することができる。
【図面の簡単な説明】
【００１７】
【図１】本発明であるマンホール用高さ調整リングを用いたマンホールを示す斜視図である。
【図２】本発明であるマンホール用高さ調整リングを示す平面図及び正面断面図である。
【図３】本発明であるマンホール用高さ調整リングの貫通孔側を拡大した正面断面図である。
【図４】本発明であるマンホール用高さ調整リングの非貫通穴側を拡大した正面断面図である。
【図５】本発明であるマンホール用高さ調整リングを用いたマンホールを示す平面断面図である。
【図６】本発明であるマンホール用高さ調整リングを用いたマンホールを示す正面断面図である。
【発明を実施するための形態】
【００１８】
以下に、本発明の実施形態について図面を参照して詳細に説明する。なお、同一機能を有するものは同一符号を付け、その繰り返しの説明は省略する場合がある。
【実施例１】
【００１９】
まず、本発明であるマンホール用高さ調整リングを用いたマンホールの構造について説明する。図１は、マンホール用高さ調整リングを用いたマンホールを示す斜視図である。
【００２０】
図１に示すように、マンホール１００は、地下の下水道などから垂設された管状の直壁１１０、直壁１１０に連設されてテーパ状に径が絞られた斜壁１２０等を有する上下に貫通する中空の縦孔であり、地上の出入口を塞ぐ鉄蓋４００、鉄蓋４００を支持する鉄蓋枠３００、斜壁１２０と鉄蓋枠３００の間に介在させる調整リング２００等を用いて地面に空いた開口部が閉じられる。
【００２１】
なお、本実施例において、斜壁１２０は、マンホール１００の途中で径を絞った部分ではなく、鉄蓋枠３００のサイズに合わせて径を絞ったマンホール１００の一番上の部分とする。
【００２２】
斜壁１２０の上に鉄蓋枠３００を取り付ける場合、まず、斜壁１２０の環状の上面に穴１３０を空けてボルト５００ａを固定し、調整リング２００の貫通孔２１０を貫通させて鉄蓋枠３００の孔３１０まで通す。なお、穴１３０は、例えば、３箇所に等間隔（１２０度）で空ければ良い。また、貫通孔２１０及び孔３１０も、穴１３０と対応した位置に空けられれば良い。
【００２３】
調整リング２００は、斜壁１２０と鉄蓋枠３００の間隔を埋めるために使用される。また、地上の路盤が傾斜している場合、鉄蓋４００及び鉄蓋枠３００を傾斜させて設置するので、鉄蓋枠３００の高さ及び勾配を調整するために使用される。なお、調整リング２００で埋められなかった隙間や、鉄蓋枠３００の傾斜により調整リング２００との間に生じた隙間には、モルタル等を充填すれば良い。
【００２４】
鉄蓋枠３００の交換や高さの変更などをする際に、既に斜壁１２０に固定されているボルト５００ａの何れかがインサート部材１４０（図６を参照）の劣化等により利用できない場合、調整リング２００の非貫通穴２２０にボルト５００ｂを固定し、鉄蓋枠３００の孔３１０に通せば良い。なお、孔３１０は、非貫通穴２２０と対応した位置にも空けておく。
【００２５】
次に、本発明であるマンホール用高さ調整リングの構造について説明する。図２は、マンホール用高さ調整リングを示す（ａ）平面図、及び（ｂ）正面断面図である。図３は、マンホール用高さ調整リングの貫通孔側を拡大した正面断面図である。図４は、マンホール用高さ調整リングの非貫通穴側を拡大した正面断面図である。
【００２６】
図２に示すように、調整リング２００には、マンホール１００の斜壁１２０の上端に差し込んだボルト５００ａを通すために上下に貫通させた貫通孔２１０、斜壁１２０に差し込まれないボルト５００ｂを固定するためのインサート部材２４０が埋め込まれた下側に貫通しない非貫通穴２２０が空けられる。
【００２７】
貫通孔２１０は、斜壁１２０の穴１３０の位置に合わせて３箇所に等間隔で空けられ、非貫通穴２２０は、それぞれ貫通孔２１０の間となるように３箇所に等間隔で空けられる。すなわち、貫通孔２１０と非貫通穴２２０とが交互に一定の間隔（６０度）で空けられれば良い。なお、貫通孔２１０と非貫通穴２２０の数及び間隔は、任意に変更しても良い。
【００２８】
貫通孔２１０は、斜壁１２０のボルト５００ａがそのまま貫通するように、内径をボルト５００ａの外径よりも大きくする。また、非貫通穴２２０は、ボルト５００ｂが螺合するように、雌ネジ状のインサート部材２４０が埋め込まれる。
【００２９】
図３に示すように、貫通孔２１０側においては、斜壁１２０の穴１３０に埋め込まれた雌ネジ状のインサート部材１４０に固定されたボルト５００ａが上方に延びる。貫通孔２１０の上部には、径を拡げた収容部２３０ａを有する。収容部２３０ａは、貫通しているボルト５００ａに螺合させた下調整コマ５１０ｂを収容可能な大きさ（径及び高さ）で設ければ良い。
【００３０】
鉄蓋枠３００の孔３１０を貫通するボルト５００ａには、鉄蓋枠３００を挟むように、上調整コマ５１０ａと下調整コマ５１０ｂを通し、さらに、上調整コマ５１０ａの上側に上ナット５２０ａを配置する。
【００３１】
上調整コマ５１０ａと下調整コマ５１０ｂとで鉄蓋枠３００を挟持するが、鉄蓋枠３００を傾斜させたときは、上調整コマ５１０ａと下調整コマ５１０ｂの間隔が拡がる。上ナット５２０ａは、上調整コマ５１０ａが緩まないように下方に締め付ける。鉄蓋枠３００の傾斜や高さが保持されたら、鉄蓋枠３００と調整リング２００の間に調整モルタル６００を充填することで固定される。
【００３２】
また、下調整コマ５１０ｂを収容部２３０ａの底の位置まで下げることで、調整リング２００が斜壁１２０に向けて締め付けられ、さらに、ボルト５００ａがインサート部材１４０から抜けないように締め付けられる。下調整コマ５１０ｂを収容部２３０ａに収容される位置まで下げることで、鉄蓋枠３００を調整リング２００に接する位置まで下げることが可能である。
【００３３】
鉄蓋枠３００が調整リング２００に近い位置で傾斜したときに、鉄蓋枠３００の端が調整リング２００に当たらないように、調整リング２００の上面の外縁部を下方に傾斜させた外切欠き２５０を設けても良い。
【００３４】
また、調整リング２００を斜壁１２０の上に載せたときに位置ズレしないように、斜壁１２０の上端の内周側に切欠き１５０を空け、調整リング２００の下端の内周側に突起２７０を設けて嵌合させても良い。なお、調整リング２００の上端の内周側に内切欠き２６０を空ければ、使用しない調整リング２００を重ねて収納することが可能となる。
【００３５】
図４に示すように、非貫通穴２２０側においては、内部に埋め込まれた雌ネジ状のインサート部材２４０に固定されたボルト５００ｂが上方に延びる。非貫通穴２２０の上部には、径を拡げた収容部２３０ｂを有する。収容部２３０ｂは、貫通していないボルト５００ｂに螺合させた下調整コマ５１０ｂを収容可能な大きさ（径及び高さ）で設ければ良い。
【００３６】
鉄蓋枠３００の孔３１０を貫通するボルト５００ｂには、鉄蓋枠３００を挟むように、上調整コマ５１０ａと下調整コマ５１０ｂを通し、さらに、上調整コマ５１０ａの上側に上ナット５２０ａを配置する。
【００３７】
上調整コマ５１０ａと下調整コマ５１０ｂとで鉄蓋枠３００を挟持するが、鉄蓋枠３００を傾斜させたときは、上調整コマ５１０ａと下調整コマ５１０ｂの間隔が拡がる。上ナット５２０ａは、上調整コマ５１０ａが緩まないように下方に締め付ける。鉄蓋枠３００の傾斜や高さが保持されたら、鉄蓋枠３００と調整リング２００の間に調整モルタル６００を充填することで固定される。
【００３８】
下調整コマ５１０ｂ自体にネジが切ってあるので、下ナットは不要であるが、下調整コマ５１０ｂの緩み防止として下調整コマ５１０ｂの下側に下ナットを配しても良い。また、下ナットを収容部２３０ａの底の位置まで下げることで、ボルト５００ｂがインサート部材２４０から抜けないように締め付けることも可能である。下調整コマ５１０ｂを収容部２３０ａに収容される位置まで下げることで、鉄蓋枠３００を調整リング２００に接する位置まで下げることが可能である。
【００３９】
鉄蓋枠３００が調整リング２００に近い位置で傾斜したときに、鉄蓋枠３００の端が調整リング２００に当たらないように、調整リング２００の上面の外縁部を下方に傾斜させた外切欠き２５０を設けても良い。
【００４０】
また、調整リング２００を斜壁１２０の上に載せたときに位置ズレしないように、斜壁１２０の上端の内周側に切欠き１５０を空け、調整リング２００の下端の内周側に突起２７０を設けて嵌合させても良い。なお、調整リング２００の上端の内周側に内切欠き２６０を空ければ、使用しない調整リング２００を重ねて収納することが可能となる。
【００４１】
次に、本発明であるマンホール用高さ調整リングを用いたマンホールの施工方法について説明する。図５は、（ａ）マンホール用高さ調整リングを用いたマンホール、及び（ｂ）従来の平面図である。図６は、（ａ）マンホール用高さ調整リングを用いたマンホール、及び（ｂ）従来の正面断面図である。
【００４２】
図５及び６に示す例は、左側が高く右側が低い傾斜した路盤にマンホール１００を設置した場合である。
【００４３】
従来の（ｂ）においては、調整リング２００ａに３つの貫通孔２１０ａが空いており、最も低い位置一点と、高い位置二点で鉄蓋枠３００を支持すべく、それぞれボルト５００ａが通され、上調整コマ５１０ａで高さが保持されている。最も低い位置においては、鉄蓋枠３００の端が調整リング２００ａに当たっており、そこが傾斜の支点となっている。また、鉄蓋枠３００の下側に下調整コマ５１０ｂを配置するための空間がない。ボルト５００ａを固定するインサート部材１４０が劣化した場合、斜壁１２０に新たなインサート部材１４０を後付けする必要が生じる。
【００４４】
それに対して、（ａ）においては、調整リング２００に３つの貫通孔２１０と、３つの非貫通穴２２０が交互に空いており、最も高い位置が貫通孔２１０に通されたボルト５００ａで支持され、最も低い位置が非貫通穴２２０に通されたボルト５００ｂで支持されている。その他に高い位置二点が非貫通穴２２０に通されたボルト５００ｂで支持されており、最大六点で支持することが可能である。
【００４５】
最も低い位置においては、鉄蓋枠３００の端が調整リング２００に当たらないため、ボルト５００ｂが通る位置を支点に傾斜される。また、調整リング２００に収容部２３０ｂがあるため、鉄蓋枠３００の下側に下調整コマ５１０ｂを配置する空間があり、調整モルタル６００を充填する空間も確保される。
【００４６】
ボルト５００ａを固定するインサート部材１４０が劣化した場合でも、調整リング２００のインサート部材２４０にボルト５００ｂを固定すれば、例えば、一点が使用できなくなっても他の五点で、鉄蓋枠３００を支持することが可能である。なお、斜壁１２０の上端に新たなインサート部材１４０を埋め込む等の加工をする必要はない。
【００４７】
既に（ｂ）の調整リング２００ａを使用したマンホール１００をメンテナンスした際に、（ａ）の調整リング２００に交換すれば、斜壁１２０の上端を加工することなく、新たにボルト５００ｂを追加して鉄蓋枠３００を支持することができる。鉄蓋枠３００の上下に調整コマ５１０が入るため、鉄蓋枠３００の傾斜や高さを保持しやすくなる。
【００４８】
このように、傾斜した路盤に設置されたマンホール１００に鉄蓋枠３００を確実に固定することができる。鉄蓋枠３００を交換又は高さを変更する場合に、既存のマンホール１００の上端に差し込まれたボルト５００ａを固定するためのインサート部材１４０が劣化等していても、調整リング２００のインサート部材２４０にボルト５００を差し込むことにより固定することができる。
【００４９】
また、傾斜の低い側において、調整モルタル６００を充填するための高さがなくても、鉄蓋枠３００を固定するための調整コマ５１０を入れることができる。さらに、傾斜した路盤の勾配が大きい場合でも、鉄蓋枠３００の角が調整リング２００に接触することはなく、容易に施工することができる。
【００５０】
以上、本発明の実施例を述べたが、これらに限定されるものではない。例えば、調整コマをナット等に替えても良い。
【符号の説明】
【００５１】
１００：マンホール
１１０：直壁
１２０：斜壁
１３０：穴
１４０：インサート部材
１５０：切欠き
２００：調整リング
２１０：貫通孔
２２０：非貫通穴
２３０：収容部
２４０：インサート部材
２５０：外切欠き
２６０：内切欠き
２７０：突起
３００：鉄蓋枠
３１０：孔
４００：鉄蓋
５００：ボルト
５１０：調整コマ
５２０：ナット
６００：調整モルタル
【図１】
2019090242.tif 000003
【図２】
2019090242.tif 000004
【図３】
2019090242.tif 000005
【図４】
2019090242.tif 000006
【図５】
2019090242.tif 000007
【図６】
2019090242.tif 000008
【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
マンホールの上に鉄蓋枠を傾斜させて設置する際に、前記鉄蓋枠の高さ及び勾配を調整するために、前記マンホールと前記鉄蓋枠の間に介在させる調整リングであって、
前記マンホールの上端に差し込んだボルトを通すために上下に貫通させた貫通孔と、
前記マンホールに差し込まれないボルトを固定するためのインサート部材が埋め込まれた下側に貫通しない非貫通穴と、が空けられた、
ことを特徴とするマンホール用高さ調整リング。
【請求項２】
前記貫通孔と前記非貫通穴とが交互に一定の間隔で空けられた、
ことを特徴とする請求項１に記載のマンホール用高さ調整リング。
【請求項３】
前記貫通孔及び前記非貫通穴は、上部に前記鉄蓋枠の下側に配される調整コマ又はナットを収容するための収容部を有する、
ことを特徴とする請求項１又は２に記載のマンホール用高さ調整リング。
【請求項４】
傾斜した前記鉄蓋枠の端が当たらないように、上面の外縁部を斜めに切り欠いた、
ことを特徴とする請求項１乃至３の何れか一に記載のマンホール用高さ調整リング。
【請求項５】
請求項１乃至４の何れか一に記載のマンホール用高さ調整リングを用いて前記鉄蓋枠の高さ及び勾配を調整する、
ことを特徴とする高さ調整方法。
【手続補正２】
【補正対象書類名】明細書
【補正対象項目名】００１２
【補正方法】変更
【補正の内容】
【００１２】
また、前記マンホール用高さ調整リングにおいて、前記貫通孔及び前記非貫通穴は、上部に前記鉄蓋枠の下側に配される調整コマ又はナットを収容するための収容部を有する、ことを特徴とする。